(57)【要約】【課題】キャリーバッグの本体ケースの外側平面部に上フラップと下フラップを配置し、この両フラップに長傘を挿通する穴を設けて、この孔に傘を挿通し保持するものがあるが、キャリーバッグを引っ張る際に、傘の表面に付着した雨水がキャリーバッグを引っ張る人の足に落ちて不快感を味わうことが考えられる。本発明は、このような点を解決した長傘収容ホルダを提供する。【解決手段】通気性及び排水性を有し巻き取り可能な柔軟性素材で構成され一端側に長傘の挿入口を有し他端側が石突き収容部となる収容袋部と、挿入口から所定長さに渡って配置され挿入口を開口状態に保つ補強筒と、被取り付け棒状部の外面に適合する湾曲した取り付け面を有し補強筒の長さ方向に延びる取り付け体と、取り付け体の左右両側へ延出し被取り付け棒状部を包持可能とする第１結合辺を有する第１ベルトとを備える長傘収容ホルダ。【選択図】図１
2018192120.tif 000002
【特許請求の範囲】
【請求項１】
通気性及び排水性を有し巻き取り可能な柔軟性素材で構成され一端側に長傘の挿入口を有し他端側が前記長傘の石突きが収容される石突き収容部となる長尺の収容袋部と、前記挿入口から所定長さに渡って配置され前記挿入口を開口状態に保つ補強筒と、被取り付け棒状部の外面に適合する湾曲した取り付け面を有し前記補強筒の長さ方向に延びる取り付け体と、前記取り付け体の左右両側へ延出し相互に着脱可能な第１結合辺を有し前記第１結合辺相互の結合により前記被取り付け棒状部を包持可能とする第１ベルトと、を備える、
ことを特徴とする長傘収容ホルダ。
【請求項２】
前記収容袋部の他端側から左右両側へ延出し相互に着脱可能な第２結合辺を有し、前記第２結合辺相互の結合により前記収容袋部を所定の巻き取り状態に保持する第２ベルトを備えた、
ことを特徴とする請求項１に記載の長傘収容ホルダ。
【請求項３】
物品を収容する本体ケースに引き出し可能に配置されたハンドル装置を備えたキャリーバッグにおいて、
通気性及び排水性を有し巻き取り可能な柔軟性素材で構成され一端側に長傘の挿入口を有し他端側が前記長傘の石突きが収容される石突き収容部である長尺の収容袋部と、前記挿入口から所定長さに渡って配置され前記挿入口を開口状態に保つ補強筒と、前記ハンドル装置の棒状アームの外面に適合する湾曲した取り付け面を有し前記補強筒の長さ方向に延びる取り付け体と、前記取り付け体の左右両側へ延出し相互に着脱可能な第１結合辺を有し前記第１結合辺相互の結合により前記棒状アームを包持可能な第１ベルトと、前記収容袋部の他端側から左右両側へ延出し相互に着脱可能な第２結合辺を有し前記第２結合辺相互の結合により前記収容袋部を所定の巻き取り状態に保持する第２ベルトと、を有する長傘収容ホルダを備えた、
ことを特徴とするキャリーバッグ。
【発明の詳細な説明】
【技術分野】
【０００１】
本発明は、棒状体に取り付け可能な長傘収容ホルダ、及びこの長傘収容ホルダを備えたキャリーバッグに関する。
【背景技術】
【０００２】
キャリーバッグに長傘を保持するものとして、キャリーバッグの本体ケースの外側平面部に上フラップと下フラップを配置し、この両フラップに傘を挿通する穴を設けて、この孔に傘を挿通し保持するものがある（例えば、特許文献１）。
【先行技術文献】
【特許文献】
【０００３】
【特許文献１】特開２０１５−８０５１０号公報
【発明の概要】
【発明が解決しようとする課題】
【０００４】
特許文献１のものは、上下フラップの穴にペットボトルを挿通して保持するためのものであり、この上下フラップは、キャリーバッグの本体ケースの背面に大きく突出するため、傘を挿通保持した状態でキャリーバッグのハンドルを引き出してキャリーバッグを引っ張る場合は、上下フラップが足に当たらないような工夫が必要となり、キャリーバッグの運搬に不便を来す場合がある。
また、傘は上下フラップの穴に挿通しているだけであるため、キャリーバッグを引っ張る際に、傘の表面に付着した雨水がキャリーバッグを引っ張る人の足に落ちて不快感を味わうことが考えられる。
【０００５】
本発明は、このような点に鑑み、長傘の周囲を覆う状態に長傘を容易に収容でき、キャリーバッグに設けた引き出し可能なハンドル装置のアーム等の棒状部への取り付けに適し、傘の表面に付着した雨水が蒸発し易い機能を有する長傘収容ホルダ、及びこの長傘収容ホルダを備えたキャリーバッグを提供する。
本発明は、また、キャリーバッグの高さや長傘の長さに合わせて長傘を適切な収容状態に調整できる長傘収容ホルダを提供する。
【課題を解決するための手段】
【０００６】
第１発明は、通気性及び排水性を有し巻き取り可能な柔軟性素材で構成され一端側に長傘の挿入口を有し他端側が前記長傘の石突きが収容される石突き収容部となる長尺の収容袋部と、前記挿入口から所定長さに渡って配置され前記挿入口を開口状態に保つ補強筒と、被取り付け棒状部の外面に沿う湾曲した取り付け面を有し前記補強筒の長さ方向に延びる取り付け体と、前記取り付け体の左右両側へ延出し相互に着脱可能な第１結合辺を有し前記第１結合辺相互の結合により前記被取り付け棒状部を包持可能とする第１ベルトと、を備える、
ことを特徴とする長傘収容ホルダである。
【０００７】
第２発明は、第１発明において、
前記収容袋部の他端側から左右両側へ延出し相互に着脱可能な第２結合辺を有し、前記第２結合辺相互の結合により前記収容袋部を所定の巻き取り状態に保持する第２ベルトを備えた、
ことを特徴とする長傘収容ホルダである。
【０００８】
第３発明は、
物品を収容する本体ケースに引き出し可能に配置されたハンドル装置を備えたキャリーバッグにおいて、
通気性及び排水性を有し巻き取り可能な柔軟性素材で構成され一端側に長傘の挿入口を有し他端側が前記長傘の石突きが収容される石突き収容部である長尺の収容袋部と、前記挿入口から所定長さに渡って配置され前記挿入口を開口状態に保つ補強筒と、前記ハンドル装置の棒状アームの外面に沿う湾曲した取り付け面を有し前記補強筒の長さ方向に延びる取り付け体と、前記取り付け体の左右両側へ延出し相互に着脱可能な第１結合辺を有し前記第１結合辺相互の結合により前記棒状アームを包持可能な第１ベルトと、前記収容袋部の他端側から左右両側へ延出し相互に着脱可能な第２結合辺を有し前記第２結合辺相互の結合により前記収容袋部を所定の巻き取り状態に保持する第２ベルトと、を有する長傘収容ホルダを備えた、
ことを特徴とするキャリーバッグである。
【発明の効果】
【０００９】
本発明によれば、キャリーバッグのハンドル装置の棒状アームに取り付け体を沿わせた状態で、第１ベルトを棒状アームに巻き付け状態にて取り付けることができるため、キャリーバッグを引っ張る際の雨に濡れた長傘の持ち運びが容易となる。その場合、雨に濡れた長傘を長尺の収容袋部へ差し込むことにより、収容袋部が傘の保護カバーの役目をすると共に、その傘から落ちる雨水がキャリーバッグを引っ張る人の足に掛かる不愉快を解消できる。
また、長尺の収容袋部は柔軟性素材を有るため、棒状アームに取り付けた状態でキャリーバッグの背面に沿わせることが容易となり、且つ長尺の収容袋部は通気性及び排水性を有するため、傘に付着した雨水は蒸発し易く衛生的である。
【００１０】
更に、長尺の収容袋部は柔軟性素材を有るため、傘の長さが短い場合は、挿入口からの長さを短くするように石突き収容部を挿入口へ向けて巻き取り、所定の長さの位置で第２ベルトを結合することにより、収容袋部の長さをその傘の長さに見合う長さにすることができる。
【００１１】
また、長傘収容ホルダを使用しない場合は、第１ベルトを巻き付けたハンドル装置の棒状アームから外し、石突き収容部から挿入口側へ向けて巻き取り、補強筒に達する箇所まで巻き取った状態で第２ベルトを結合することにより、短く巻き取った状態を保つことができ、それをキャリーバッグの本体ケース内や、本体ケースの側面等に設けたポケット等に収容することができるため、便利である。
【図面の簡単な説明】
【００１２】
【図１】本発明の実施形態に係る長傘収容ホルダの全体図である。
【図２】本発明の実施形態に係る長傘収容ホルダに長傘収容状態を示す縦断側面図である。
【図３】本発明の実施形態に係る長傘収容ホルダを取り付けた状態のキャリーバッグの縦断側面図である。
【図４】本発明の実施形態に係る長傘収容ホルダをキャリーバッグのハンドル装置の棒状アームに取り付けた状態を示す斜視図である。
【図５】本発明の実施形態に係る長傘収容ホルダの下端部の斜視図である。
【図６】本発明の実施形態に係る長傘収容ホルダを長さ調整のために下端部を巻き上げた状態を示す斜視図である。
【図７】本発明の実施形態に係る長傘収容ホルダを短く巻き上げた状態の斜視図である。
【発明を実施するための形態】
【００１３】
本発明は、通気性及び排水性を有し巻き取り可能な柔軟性素材で構成され一端側に長傘の挿入口を有し他端側が前記長傘の石突きが収容される石突き収容部となる長尺の収容袋部と、前記挿入口から所定長さに渡って配置され前記挿入口を開口状態に保つ補強筒と、被取り付け棒状部の外面に沿う湾曲した取り付け面を有し前記補強筒の長さ方向に延びる取り付け体と、前記取り付け体の左右両側へ延出し相互に着脱可能な第１結合辺を有し前記第１結合辺相互の結合により前記被取り付け棒状部を包持可能とする第１ベルトと、を備える長傘収容ホルダである。
特に、キャリーバッグ用として好適な長傘収容ホルダであり、前記取り付け体をキャリーバッグに設けたハンドル装置の棒状アームの外面に沿う状態において、前記第１ベルトによって前記棒状アームに取り付け可能とする。以下にその実施例を記載する。
【００１４】
以下、本発明の長傘収容ホルダ１は、図１及び図２に示すように、一端側である上端部に長傘ＡＢの挿入口２を有し、他端側である下端部が長傘ＡＢの先端の石突きＡＢ２が収容される石突き収容部３となる長尺の収容袋部４と、挿入口２から所定長さに渡って収容袋部４に挿入配置され挿入口２を開口した状態に保つ補強筒５と、被取り付け棒状部２０の外面に適合するように外側に向けて湾曲した取り付け面６Ａを有し補強筒５の長さ方向に延びる取り付け体６と、相互に着脱可能な結合辺７Ａ、７Ｂが取り付け体６の左右両側へ延出し被取り付け棒状部２０へ巻き付け可能な第１ベルト７とを備える。
【００１５】
収容袋部４は、雨に濡れた長傘ＡＢの抜き差しに十分耐える強度を有することが必要であり、合成樹脂製の細い糸等の織物、所定の強度を有する合成樹脂製シート等で構成され、雨に濡れた長傘ＡＢの表面に付着した雨水の乾燥が行われるために、通気性及び排水性を有する。また、収容袋部４は、後述のように短く巻き上げ及び傘の挿入に適するように、柔軟性素材で構成され、多少の伸縮性を有する。
これに適するために、実施例の収容袋部４は、ポリエステル樹脂製の糸によって、図１の中央部に一点鎖線の円形の拡大図に示すように、通気性及び排水性を有するメッシュ状（網目状）に伸縮編みされたものである。
【００１６】
補強筒５は、耐水性と所定の剛性を有する合成樹脂製の筒状体であり、挿入口２から所定長さで収容袋部４の内面に密着状態に収容袋部４内に配置される。補強筒５の長さは、１００ｍｍ〜２００ｍｍ程度で使用に適するため、実施例のものは、収容袋部４の全長が略６５０ｍｍであり、補強筒５の長さは略１６０ｍｍとしている。挿入口２は、収容袋部４の一端を補強筒５の内面に沿って折り返した状態で、その折り返し部を所定の留め具や縫い付けや接着剤等による留め部８にて固定する。
この構成によって、収容袋部４は、挿入口２から所定長さまで補強筒５によって所定の筒状に保たれる。
一方、補強筒５よりも下方の収容袋部４の部分は、収容袋部４の構成によって自然に袋状に開いた形態とするか、または、補強筒５よりも下方の収容袋部４の部分は、図１に断面Ｓｅｃで示す扁平形態で以って、図５、図６及び図７に示すように通常は扁平状態に閉じた状態を保ち、挿入口２から挿入される長傘ＡＢによって図２及び図３に示すように押し拡がる形態であってもよい。後者のように通常は閉じた扁平状態を保つ場合は、後述のように短く巻き取る場合（図６及び図７に示す）の操作がし易くなる効果がある。
【００１７】
補強筒５の長さ方向（上下方向）に沿って補強筒５に対応した収容袋部４の外側面に取り付け体６が配置され、取り付け体６と補強筒５との間に収容袋部４を挟んだ状態で、少なくとも上下２か所を縫い付けまたは合成樹脂製等の留め具９によって取り付け体６を補強筒５に取り付ける。上下方向に長い取り付け体６は、その外面が左右方向に湾曲した取り付け面６Ａが形成されており、この湾曲した取り付け面６Ａが取り付け体６の全長に亘って延びている。
【００１８】
石突き収容部３は、収容袋部４の下端部を合成樹脂製繊維布等で形成された締結具１０によって閉じた状態に保つことにより形成される。締結具１０は収容袋部４の下端部に縫い付けられている。
挿入口２から石突き収容部３の下端までの収容袋部４の長さは、長傘収容ホルダ１が長尺の長傘ＡＢの使用に適するようにする。長傘ＡＢは柄ＡＢ１から延びる軸ＡＢ３の周囲に広がるシートＡＢ４を有しており、図２に示すように、長尺の長傘ＡＢのシートＡＢ４の部分が収容袋部４に収まるように、収容袋部４の長さを予め設定する。
【００１９】
第１ベルト７は、合成樹脂製繊維布等で形成され、相互に着脱可能な左右の結合辺７Ａ、７Ｂを有し、この左右の結合辺７Ａ、７Ｂが取り付け体６の左右両側へ延出している。取り付け体６には長孔１１が左右配置で並列に形成されており、この長孔１１に第１ベルト７を差し通した状態で取り付け体６に保持される。図１等に示すように、第１ベルト７は、取り付け体６の上下に配置される。
【００２０】
上記のように構成された長傘収容ホルダ１は、被取り付け棒状部２０に取り付けられる。長傘収容ホルダ１の取り付けに適するものとして、キャリーバッグＣＢが好適である。この場合、長傘収容ホルダ１を取り付ける被取り付け棒状部２０は、キャリーバッグＣＢのハンドル装置１５の棒状アーム２０である。
【００２１】
図３に示すように、キャリーバッグＣＢは、物品を収容する本体ケースＣＢ１と、本体ケースＣＢ１の開口部を開閉する蓋ＣＢ２を有し、本体ケースＣＢ１の底の左右部分には前後２か所にキャスターＣＢ３を有し、本体ケースＣＢ１の背面部にハンドル装置１５が引き出し可能に配置されている。ハンドル装置１５の左右の棒状アーム２０が露出するようにハンドル装置１５を引き出した状態で、取り付け体６の取り付け面６Ａを左右いずれか一方の棒状アーム２０の外面に沿わせ、その状態で上下の第１ベルト７の左右結合辺７Ａ、７Ｂを当該一方の棒状アーム２０に巻き付け、左右結合辺７Ａ、７Ｂ相互を結合する。
棒状アーム２０の外面が円形状、多角形状のいずれであっても、取り付け面６Ａは左右に広がる弧状であれば、それらに適応できる。この弧状は、左右へ連続する曲線または連続する多角形で以って全体として弧状であればよい。
【００２２】
このようにして第１ベルト７によって取り付け体６が左右いずれかの棒状アーム２０の長さ方向に沿って取り付けられ、図３に示すように、本体ケースＣＢ１の背面部に沿って長傘収容ホルダ１が配置される。この状態で、挿入口２から長傘ＡＢを収容袋部４内へ挿入することにより、長傘ＡＢのシートＡＢ４の部分が収容袋部４に収まり、柄ＡＢ１が上方に露出した態で保持される。
【００２３】
棒状アーム２０に対する取り付け体６の取り付けをしっかりした状態とするために、取り付け体６の取り付け面６Ａに、接着または縫い付け等によって、上下方向に長く棒状アーム２０に当接する弾力性の滑り防止部材１２を設ける。これによって、第１ベルト７を棒状アーム２０に巻き付けた状態で滑り防止部材１２が圧縮され、取り付け体６が棒状アーム２０に密着する。滑り防止部材１２は、合成樹脂製の発泡部材で構成され、水滴を吸収しないことが望ましく、そのために独立気泡性の発泡部材が適する。
【００２４】
第１ベルト７の左右結合辺７Ａ、７Ｂは、結合及び結合解除の操作が可能な柔軟性のある形態であればよい。このため、洋服のズボン用ベルトのように、左右結合辺７Ａ、７Ｂの一方の結合辺にバックルを設け、他方の結合辺がこのバックルに係止される形態でもよいが、コストが安く且つ左右結合辺７Ａ、７Ｂの結合及び分離がし易いものとして、面ファスナーＭＦの形態のものが好ましい。
第１ベルト７は、所定の強度があって柔軟性に富み、殆んど吸水性のない合成樹脂等で形成され、所定の厚さと幅を有する形態が好ましい。
【００２５】
面ファスナーＭＦの一つの形態としては、左右結合辺７Ａ、７Ｂの夫々の接合面となる表裏両面または片側面に、多数のかぎ状繊維を設け、左右結合辺７Ａ、７Ｂ相互を手動による押圧にて、このかぎ状繊維が相互に絡み合って接合され、手動による剥がし操作にてその接合が解除される公知の面ファスナーＭＦである。
また、面ファスナーＭＦの他の形態として、左右結合辺７Ａ、７Ｂのうち、一方の結合辺の接合面に多数のかぎ状繊維を設け、他方の結合辺の接合面に多数のリング状繊維を設け、左右結合辺７Ａ、７Ｂ相互の押圧にて、このかぎ状繊維がリング状繊維に絡み合って接合され、剥がし操作にてその接合が解除される公知の面ファスナーＭＦがある。
第１ベルト７の左右結合辺７Ａ、７Ｂに設ける面ファスナーＭＦは、このいずれの形態であってもよく、更に他の形態であってもよい。
【００２６】
長傘収容ホルダ１は、短い長傘ＡＢの収容に対応できるようにするために、収容袋部４の長さを調節することができる。このため、収容袋部４の他端側（下端側）から左右両側へ延出し相互に着脱可能な第２結合辺１３Ａ、１３Ｂを有する第２ベルト１３を設ける。第２ベルト１３は、締結具１０によって収容袋部４の下端部に取り付けられる。第２ベルト１３は締結具１０と収容袋部４の下端部との間に、締結具１０の縫い付けと共に取り付けられる。
【００２７】
第２ベルト１３は第１ベルト７と同様の構成及び形態であればよい。このため、好ましい形態として、第２ベルト１３の第２結合辺１３Ａ、１３Ｂの接合面には、第１ベルト７の左右結合辺７Ａ、７Ｂの接合面と同様に面ファスナーＭＦを設ける。
【００２８】
長傘収容ホルダ１は、短い長傘ＡＢの収容に対応できるようにするために、収容袋部４を下端部から所定長さに巻き上げ、図６に示すように、この巻き上げた収容袋部４の部分を抱き込むように第２ベルト１３の第２結合辺１３Ａ、１３Ｂを回し、その状態で第２結合辺１３Ａ、１３Ｂ相互の押圧にて、面ファスナーＭＦ部分が接合し、この巻き上げ状態を保持する。
この場合、補強筒５よりも下方の収容袋部４の部分は、図１に示す断面Ｓｅｃに示すように通常は扁平状態に閉じた状態を保つことにより、巻き上げ操作がし易くなる。
この巻き上げ状態にて、この巻き上げ部分が石突き収容部３となり、短い長傘ＡＢの収容に対応できる収容袋部４の全長が短く調節された状態である。
【００２９】
このように短い長傘ＡＢの収容に対応できるようにすることは、高さが低いキャリーバッグＣＢの場合に適用することができる。即ち、長傘収容ホルダ１を高さが低いキャリーバッグＣＢへ取り付ける場合は、上記同様に収容袋部４を下端部から所定長さに巻き上げ、図６に示すように、この巻き上げた収容袋部４の部分を抱き込むように第２ベルト１３の第２結合辺１３Ａ、１３Ｂを回し、その状態で第２結合辺１３Ａ、１３Ｂ相互の押圧にて、面ファスナーＭＦ部分が接合することにより達成される。
【００３０】
上記のように長傘収容ホルダ１をキャリーバッグＣＢに取り付けた状態で、長傘収容ホルダ１の下端部を巻き上げない状態の場合、図５に示すように、第２ベルト１３の第２結合辺１３Ａ、１３Ｂ相互の面ファスナーＭＦを接合状態とすることにより、第２ベルト１３が整理された状態となる。
【００３１】
長傘収容ホルダ１を使用しない場合は、第１ベルト７の左右結合辺７Ａ、７Ｂの接合を解除して、長傘収容ホルダ１をキャリーバッグＣＢから取り外す。この場合、長傘収容ホルダ１の収納のために、図７に示すように、収容袋部４を下端部から補強筒５の下端部近傍まで巻き上げ、この巻き上げた収容袋部４の部分を抱き込むように第２ベルト１３の第２結合辺１３Ａ、１３Ｂを回し、その状態で第２結合辺１３Ａ、１３Ｂ相互の押圧にて面ファスナーＭＦ部分が接合し、この巻き上げ状態を保持する。
この場合、補強筒５よりも下方の収容袋部４の部分は、図１に示す断面Ｓｅｃに示すように通常は扁平状態に閉じた状態を保つことにより、巻き上げ操作がし易くなる。
これによって、短く巻き取った状態を保つことができる。また、図５に示すように、第１ベルト７の第１結合辺７Ａ、７Ｂ相互の面ファスナーＭＦを接合状態とすることにより、第１ベルト７が整理された状態となる。
このように長傘収容ホルダ１の全体がコンパクトに纏められた状態で、それをキャリーバッグＣＢの本体ケースＣＢ１内や、本体ケースＣＢ１の側面等に設けたポケット等に収容することができる。
【００３２】
実施例の長傘収容ホルダ１は、補強筒５の長さは略１６０ｍｍ、締結具１０の上下幅が略４０ｍｍ、締結具１０から挿入口２までの収容袋部４の部分が略４５０ｍｍであり、挿入口２から収容袋部４の下端部（締結具１０の下端部）までの全長が略６５０ｍｍである。そして、挿入口２は、左右径が略７０〜７５ｍｍ、前後径が略４０〜４５ｍｍである長円形状の開口形状であり、この形状が補強筒５の長さに亘って形成される。
【００３３】
上記実施例では、長傘収容ホルダ１をキャリーバッグＣＢのハンドル装置１５の棒状アーム２０に着脱する場合について記載したが、長傘収容ホルダ１をキャリーバッグＣＢ以外の物品の被取り付け棒状部２０に取り付けることも可能であり、雨に濡れた長傘ＡＢの持ち運びに便利なものとなる。
【符号の説明】
【００３４】
１・・・・・長傘収容ホルダ
２・・・・・挿入口
３・・・・・石突き収容部
４・・・・・収容袋部
５・・・・・補強筒
６・・・・・取り付け体
７・・・・・第１ベルト
７Ａ・・・・第１ベルトの結合辺
７Ｂ・・・・第１ベルトの結合辺
１３・・・・第２ベルト
１３Ａ・・・第２ベルトの結合辺
１３Ｂ・・・第２ベルトの結合辺
１５・・・・キャリーバッッグのハンドル装置
２０・・・・被取り付け棒状部（キャリーバッグのハンドル装置の棒状アーム）
ＡＢ・・・・長傘
ＣＢ・・・・キャリーバッグ
【図１】
2018192120.tif 000003
【図２】
2018192120.tif 000004
【図３】
2018192120.tif 000005
【図４】
2018192120.tif 000006
【図５】
2018192120.tif 000007
【図６】
2018192120.tif 000008
【図７】
2018192120.tif 000009